(57)【要約】【課題】建物の天井に敷設される天井放射パネルの温度関連能力について、その評価精度向上を図る。【解決手段】本発明に係る天井放射パネル能力評価装置は、天井放射パネルの敷設条件として、少なくとも天井裏と居室間の熱収支関係を条件として、居室内空気温度、居室側パネル表面温度、天井裏空気温度、送水入口温度、送水流量、送水出口温度、敷設面積のパラメータのうち、１つまたは２つのパラメータを予測する予測処理を実行することを特徴とする。【選択図】図５
2015124932.tif 000002
【特許請求の範囲】
【請求項１】
天井面に敷設された天井放射パネルの各種パラメータを予測する天井放射パネル能力評価装置であって、
天井放射パネルの敷設条件として、少なくとも天井裏と居室間の熱収支関係を条件として、居室内空気温度、居室側パネル表面温度、天井裏空気温度、送水入口温度、送水流量、送水出口温度、敷設面積のパラメータのうち、１つまたは２つのパラメータを予測する予測処理を実行することを特徴とする
天井放射パネル能力評価装置。
【請求項２】
予測処理における天井放射パネルの敷設条件は、天井放射パネルと居室間の熱収支関係、天井放射パネルと天井裏間の熱収支関係、天井放射パネルの居室側表面温度と天井裏側表面温度の関係を含むことを特徴とする
請求項１に記載の天井放射パネル能力評価装置。
【請求項３】
予測処理は、
天井放射パネルの導水管を通過する水の微小要素に関する温度関係を示す第１の条件式、
天井放射パネルの居室側表面温度と天井裏側表面温度の関係を示す第２の条件式、
天井放射パネルの導水管を通過する水の温度差による除去熱と空気温度の伝熱の熱収支関係を示す第３の条件式、
天井放射パネル、天井裏空気、居室側空気間の熱収支関係を示す第４の条件式、
熱環境評価指数ＰＭＶを示す第５の条件式、
天井放射パネルの熱処理量と、室内熱負荷の収支関係を示す第６の条件式を使用してパラメータを予測することを特徴とする
請求項１または請求項２に記載の天井放射パネル能力評価装置。
【請求項４】
第４の条件式の熱収支関係は、照明など天井付近に設置された各種機器が天井裏空気に寄与する熱負荷を含むことを特徴とする
請求項３に記載の天井放射パネル能力評価装置。
【請求項５】
天井面に敷設された天井放射パネルの各種パラメータをコンピュータに予測させる天井放射パネル能力評価プログラムであって、
天井放射パネルの敷設条件として、少なくとも天井裏と居室間の熱収支関係を条件として、居室内空気温度、居室側パネル表面温度、天井裏空気温度、送水入口温度、送水流量、送水出口温度、敷設面積のパラメータのうち、１つまたは２つのパラメータを予測する予測処理を実行可能とすることを特徴とする
天井放射パネル能力評価プログラム。
【発明の詳細な説明】
【技術分野】
【０００１】
本発明は、冷房、暖房といった建物内の温度調整のため設置される天井放射パネルの能力を評価する天井放射パネル能力評価装置、及び、天井放射パネル能力評価プログラムに関する。
【背景技術】
【０００２】
建物内部の冷房、暖房は、冷却、加熱された空気を送風する方式以外に、内部を通過する熱媒体によりパネル表面の温度を制御し、輻射熱により居室内の温度調整を行う方式が知られている。このような輻射熱を使用した冷房、暖房は、温度調整された送風が直接体にあたらないため、居室内の作業者の体に対する負荷も少ない利点を有している。特許文献１、２には、このような輻射熱を利用した冷房もしくは暖房用の輻射（放射）パネルが開示されている。
【先行技術文献】
【特許文献】
【０００３】
【特許文献１】特開平８−８６４７５号公報
【特許文献２】特開平９−１５２１４６号公報
【発明の概要】
【発明が解決しようとする課題】
【０００４】
上述した放射パネルは、単体の冷房もしくは暖房装置として使用することも可能であるが、建物の壁面として敷設することも可能である。その他に、建物内の居室において、作業者間に遮るものが少ない壁面である天井を放射パネルの敷設箇所に選定し、天井放
射パネルとして使用することが行われている。敷設
【０００５】
建物の壁面（天井）に敷設される天井放射パネルは、建物の建造時に同時に行われることが多く、冷房、暖房する対象となる居室を過不足なく適温にする能力を見積もっておく必要がある。従来からよく使用される送風式の冷暖房装置では、単体での交換が比較的容易であるが、壁面（天井）に一度敷設された天井放射パネルは、その敷設状態の変更、交換を行うことは困難で有り、事前に正確な能力を見積もることが重要である。
【０００６】
本発明に係る天井放射パネル能力評価装置、天井放射パネル能力評価プログラムは、このような事情を鑑みたものであり、建物内に敷設される天井放射パネルの温度関連能力について精度の高い評価を行うことを目的としている。
【課題を解決するための手段】
【０００７】
上述した課題を解決するため、本発明に係る天井放射パネル能力評価装置は、
天井面に敷設された天井放射パネルの各種パラメータを予測する天井放射パネル能力評価装置であって、
天井放射パネルの敷設条件として、少なくとも天井裏と居室間の熱収支関係を条件として、居室内空気温度、居室側パネル表面温度、天井裏空気温度、送水入口温度、送水流量、送水出口温度、敷設面積のパラメータのうち、１つまたは２つのパラメータを予測する予測処理を実行することを特徴とする。
【０００８】
さらに本発明に係る天井放射パネル能力評価装置において、
予測処理における天井放射パネルの敷設条件は、天井放射パネルと居室間の熱収支関係、天井放射パネルと天井裏間の熱収支関係、天井放射パネルの居室側表面温度と天井裏側
表面温度の関係を含むことを特徴とする。
【０００９】
さらに本発明に係る天井放射パネル能力評価装置において、
予測処理は、
天井放射パネルの導水管を通過する水の微小要素に関する温度関係を示す第１の条件式、
天井放射パネルの居室側表面温度と天井裏側表面温度の関係を示す第２の条件式、
天井放射パネルの導水管を通過する水の温度差による除去熱と空気温度の伝熱の熱収支関係を示す第３の条件式、
天井放射パネル、天井裏空気、居室側空気間の熱収支関係を示す第４の条件式、
熱環境評価指数ＰＭＶを示す第５の条件式、
天井放射パネルの熱処理量と、室内熱負荷の収支関係を示す第６の条件式を使用してパラメータを予測することを特徴とする。
【００１０】
さらに本発明に係る天井放射パネル能力評価装置において、
第４の条件式の熱収支関係は、照明など天井付近に設置された各種機器が天井裏空気に寄与する熱負荷を含むことを特徴とする。
【００１１】
また本発明に係る天井放射パネル能力評価プログラムは、
天井面に敷設された天井放射パネルの各種パラメータをコンピュータに予測させる天井放射パネル能力評価プログラムであって、
天井放射パネルの敷設条件として、少なくとも天井裏と居室間の熱収支関係を条件として、居室内空気温度、居室側パネル表面温度、天井裏空気温度、送水入口温度、送水流量、送水出口温度、敷設面積のパラメータのうち、１つまたは２つのパラメータを予測する予測処理を実行可能とすることを特徴とする。
【発明の効果】
【００１２】
本発明に係る天井放射パネル能力評価装置、天井放射パネル能力評価プログラムによれば、天井放射パネルの実際の敷設条件である天井裏空気と居室空気間の熱収支関係を考慮に入れたことで、天井放射パネルの敷設にあたって検討すべき各種パラメータの予測精度向上を図ることが可能となる。
【図面の簡単な説明】
【００１３】
【図１】天井放射パネルが敷設された建物内の様子を示す図
【図２】従来の天井放射パネルのスペック決定処理を示すフロー図
【図３】従来の天井放射パネルのスペック決定処理を示す行程図
【図４】天井放射パネルの能力線図を示す図
【図５】本発明の実施形態に係る天井放射パネルの予測モデルを示す図
【図６】本発明の実施形態に係る天井放射パネルの予測モデルを示す図
【図７】本発明の実施形態に係る天井放射パネルの予測モデルを示す図
【図８】本発明の実施形態に係る敷設条件に対する各種パラメータを示す図
【図９】敷設時の検討事項に対する各種パラメータの関係を示す図
【発明を実施するための形態】
【００１４】
まず、天井放射パネルの敷設の様子を説明する。図１には、天井放射パネル１ａ〜１ｄが敷設された建物内の様子が示されている。天井放射パネル１ａ〜１ｄは、その用語から分かるように居室空間などの天井面に配設される温度調整設備であり、それが放射する熱により、居室空間が適温となるように温度調整を行う。本実施形態の天井放射パネル１ａ〜１ｄは、内部に導水管１１が設けられ、この導水管１１に冷却水を流入、流出させることで、居室Ｓａに対する冷房設備として機能する。導水管１１には、冷却水１１に代えて
加熱水１１を流入、流出させることで暖房設備として機能させることも可能である。
【００１５】
このような天井放射パネル１の敷設は、居室Ｓａ側が適温となるよう不足の無いよう、また、無駄なエネルギー消費とならないように過剰とならないように設計することが好ましい。図２には、このような点を考慮した、従来の天井放射パネルのスペック決定処理が示されている。
【００１６】
天井放射パネル１の敷設スペック決定にあたり、まず、室内負荷が設定される（Ｓ１１）。図１に示されるように居室Ｓａには、パソコンやコピー機といった事務機器４ａ〜４ｄ、そして、居室Ｓａで作業を行う作業者などが、室内負荷としての熱源として想定される。Ｓ１１では、居室Ｓａにおける平均的な作業者数、事務機器数を設定し、居室Ｓａにおける室内負荷が算出、設定される。また、居室Ｓａの設定室温、すなわち、居室Ｓａを維持する温度も同時に設定される。
【００１７】
Ｓ１２では、設定した室内負荷、気温の変化を条件として、設定室温を保つために必要な天井放射パネル１の種類、全天井面積に対する敷設面積である敷設率、天井放射パネル１に対する送水流量が決定される。Ｓ１３では、決定した天井放射パネル１の能力線図を参照して、設定室温に対して必要な送水温度が算出される。図４には、天井放射パネル１の能力線図の一例が示されている。この能力線図は、天井放射パネル１の能力（スペック）を示したものであって、本実施形態のように居室Ｓａの冷房に使用する場合、室温と冷水平均温度の差（横軸）に対して、面積当たりの冷却能力の関係にて示される。なお、この能力線図は、送水流量毎に異なることとなり、Ｓ１２で決定した送水流量に相当したものが用意される。
【００１８】
Ｓ１３の処理について、具体的例を示しておく。室内負荷、天井放射パネル１の各種条件を以下のように設定した場合について考える。ここで、室内負荷Ｌは、居室空間に設置された事務機器４ａ〜４ｄの熱量、居室空間及び天井裏空間に与える照明３ａ〜３ｆ等の熱量、居室空間の作業者５の熱量、天井裏のスラブからの熱ロス等、居室空間および天井等空間に対する熱負荷（天井放射パネル１を除く）である。
室内負荷Ｌ：５６Ｗ／ｍ2
敷設率Ｒｐ：７０％
設定温度Ｔａ：２６℃
送水流量ｑw：０．６Ｌ／ｍｉｎ・ｍ2
【００１９】
室内負荷Ｌと敷設率Ｒｐより、パネル平米当たりの必要処理熱量Ｑは、以下の式にて算出される。
Ｑ＝Ｌ／Ｒｐ＝８０［Ｗ／ｍ2］
図４の能力線図から、この必要処理熱量Ｑを処理するために必要な室温と冷水温度との差（ΔＴ）を読み取ると、ΔＴ＝９［℃］であることが分かる。
【００２０】
一方、必要処理熱量Ｑと天井放射パネル１の送水流量ｑｗから、天井放射パネル１への流入水と流出水に必要な温度差（必要往還温度差ΔＴw）を求める。ここでρw［ｋｇ／ｍ3］は天井放射パネル１の導水管１１を通過する水の密度であり、ｃw［Ｊ／ｋｇ・Ｋ］は水の比熱である。
ΔＴｗ＝（６０×Ｑ）／（ρw×ｃw×ｑｗ）
＝（６０×８０）／（１．０×４１８４×０．６）
＝１．９［℃］
【００２１】
設定温度とΔＴより、冷水平均温度Ｔwを求める。
Ｔw＝Ｔａ−ΔＴ
＝２６−９
＝１７［℃］
【００２２】
冷水平均温度Ｔwと必要往還温度差ΔＴwより、送水温度Ｔw,inを求める。
Ｔw,in＝Ｔw−０．５×ΔＴw
＝１７−０．５×１．９
≒１６．０［℃］
【００２３】
以上、能力線図を用いた計算にて天井放射パネル１の送水温度が算出された。Ｓ１４では、Ｓ１３で算出された送水温度が天井放射パネル１の結露しない条件に適合するか否かを判定する。一般的な下記の室温条件（室温２６℃、湿度５５％）で、結露しない送水温度は約１６℃であるため、上で検討した例（Ｔw,in≒１６［℃］）は、結露しない条件に適合する（Ｓ１４：Ｙｅｓ）であることが分かり、Ｓ１２、Ｓ１３で決定した天井放射パネル１に対する各種条件は、結露しない条件を満足することが分かり、天井放射パネル１の実際の敷設スペックとして決定される（Ｓ１５）。一方、結露しない条件を満足しなかった場合（Ｓ１４：Ｎｏ）、Ｓ１２に戻り、天井放射パネル１の各種条件を再度決定する。
【００２４】
図３には、従来の天井放射パネル１のスペック決定処理を示す行程図が示されている。図２のフロー図、並びにその具体例で説明したように、従来は、各種設定条件に基づいて、能力線図による天井放射パネル１の予測モデルにより、送水温度など検討に必要な条件を求めることとしている。この従来のスペック決定処理で使用される天井放射パネル１の能力線図は、天井放射パネル１の製造元などにおいて、代表的条件下において計測されたものが使用されている。
【００２５】
ところで、図１の天井放射パネル１の敷設の様子に示されるように、天井放射パネル１の建物内における敷設条件は、能力線図で示される代表的条件下とは異なることが多く、実際の敷設条件下での送水温度と、図３で説明した天井放射パネル１の予測モデルによる送水温度との間には誤差が生じる可能性がある。本発明は、従来の能力線図を用いた天井放射パネル１の予測モデルに代え、天井放射パネル１の敷設条件を考慮した、より精度の高い予測モデルを提供することを目的とするものである。
【００２６】
では、本発明の実施形態に係る天井パネル能力評価装置について、その予測処理を説明する。図５は、本発明の実施形態に係る天井放射パネル１の予測モデルを示す図である。図５（Ａ）は、天井放射パネル１について導水管１１付近での断面の様子を示したモデル図であり、図５（Ｂ）は、居室Ｓａと天井裏Ｓｂとの間に敷設された状態における天井放射パネル１の断面の様子を示したモデル図である。
【００２７】
図５は、天井放射パネル１の予測モデルを形成する際に使用する各種パラメータを説明するための図である。図５（Ａ）では、天井放射パネル１内の導水管１１に流入する送水に関して以下のパラメータを定義する。
Ｑw,in：送水流量
Ｔw,in：送水入口温度
Ｔw,out：送水出口温度
また、導水管１１内のある微小要素ΔＳについて以下のパラメータを定義する。
Ｔw：微小要素ΔＳの送水温度
ΔＴw：微小要素ΔＳを通過する送水の出入口温度差
【００２８】
図５（Ｂ）では、天井放射パネル１を建物内の天井に敷設した状態について、以下に示す各種パラメータを定義している。
Ｔac：天井裏空気温度
Ｔsc：天井裏側パネル表面温度
Ｔsr：居室側パネル表面温度
Ｔar：居室側空気温度
Ｋc：水と天井裏側パネル表面の熱伝導率
Ｋr：水と居室側パネル表面の熱伝導率
ｈc：天井裏熱伝導率
ｈr：居室側熱伝導率
ｈrc：天井裏空気と居室空気の熱伝導率
ｑl↑：照明発熱等の天井裏空気に直接寄与する熱負荷
【００２９】
この図５（Ｂ）では、図１に示すように実際の天井放射パネル１の敷設位置が、天井裏Ｓｂと居室Ｓａ間において、通気口２などの通気を有することを考慮したものとなっている。そのため、天井裏空気と居室空気の熱伝導率天井裏ｈr,cを定義しており、天井放射
パネル１の実際の敷設状態を模擬し、精度の高い予測を行うことを可能としている。
【００３０】
では、このような敷設状態を模擬した天井放射パネルの予測モデルについて、それに必要な各種条件式を説明する。図５（Ａ）で説明した天井放射パネル１の導水管１１部分の微小要素ΔＳについて、与えられる熱量と、温度差の関係から以下の条件式（１−１）が成り立つことが分かる。この条件式（１−１）を解くことで第１の条件式（１）が導かれる。なお、条件式（１−１）、（１）中、図５（Ａ）、（Ｂ）で説明したパラメータ以外のパラメータについて、Ｑは天井放射パネル１への送水流量［ｍ3／ｓ］、ρw［ｋｇ／ｍ3］は天井放射パネル１の導水管１１を通過する水の密度であり、ｃwは水の比熱［Ｊ／ｋｇ・Ｋ］、Ｓは天井放射パネル１の敷設面積［ｍ2］を示している。
【００３１】
【数１】
2015124932.tif 000003
【００３２】
【数２】
2015124932.tif 000004
【００３３】
次に、導水管１１を通過する水の温度差による除去熱と空気温度の伝熱の熱収支関係か
ら、以下に示す第２の条件式（２）が導かれる。
【００３４】
【数３】
2015124932.tif 000005
【００３５】
図６は、本発明の実施形態に係る天井放射パネル１を単体で見たときの天井裏Ｓｂ側の表面温度Ｔs,cと、居室Ｓａ側の表面温度Ｔs,rとの表面温度を示したものである。これら表面温度Ｔs,c、Ｔs,rは比例関係にあるため以下に示す第３の条件式（３）が成立する。
【００３６】
【数４】
2015124932.tif 000006
【００３７】
図７は、通気口２などによる天井裏Ｓｂと居室Ｓａ間の空気の流れによる熱収支、そして、天井付近に設置された照明３などによる発熱の天井裏空気への熱負荷を考慮した系を示した図である。まず、天井裏空気が天井放射パネル１の天井裏側面に与える熱量ｑ↑は、天井裏熱伝導率ｈcを使用することで、条件式（４−１）のように記述できる。そして
、本実施形態では、天井裏空気と居室空気間の熱収支関係を示す熱伝導率をｈrcと定義しているため、居室側空気から天井裏空気に移動する熱量ｑrcは、条件式（４−２）として記述できる。ここで、さらに本実施形態では、照明による発熱等、天井裏空気に直接寄与する熱負荷（熱量）をｑs↑として定義しているため、上述した熱量ｑ↑、ｑrc、ｑl↑、ｑslab、は、条件式（４−３）の関係を有する。なお、ｑl↑は照明発熱等の天井裏空気
に直接寄与する熱負荷（ｑl↓は照明発熱等の居室側空気に直接寄与する熱負荷）、ｑslabは、天井裏のスラブ（上面等）からの熱ロスである。この条件式（４−３）に、条件式
（４−１）、（４−２）を代入することで、以下に示す第４の条件式（４）が得られることとなる。
【００３８】
【数５】
2015124932.tif 000007
【００３９】
また、本実施形態では、居室における快適性を確保するため熱環境評価指数ＰＭＶ（Predicted Mean Vote）を使用している。この評価指数ＰＭＶは、０を熱環境の快適性の中
立値として設定し、＋側を暖かい側に、−側を寒い側として評価可能な指数であり、以下に示す条件式（５）にて与えられる。この熱環境評価指数ＰＭＶが±０．５の範囲内であれば快適な体感環境である。
【００４０】
【数６】
2015124932.tif 000008
【００４１】
この熱環境評価指数ＰＭＶにおいて、平均放射温度ＭＲＴ以外は固定値であり、平均放射温度ＭＲＴは、天井放射パネル１の居室側の表面温度Ｔsrと、施設面積Ｓを変数とする天井放射パネル１の形態係数Ｆpによって求めることが可能である。なお、ｈ：湿度、ｖ
：気流速度、ｃｌｏ：着衣量、Ｍｅｔ：代謝量（何れも固定値）である。
【００４２】
条件式（６）は、天井放射パネル１の処理熱量（左辺）と、室内熱負荷（右辺）の収支関係を示した式である。室内負荷Ｌは、居室空間に設置された事務機器４ａ〜４ｄの熱量、居室空間及び天井裏空間に与える照明３ａ〜３ｆ等の熱量、居室空間の作業者５の熱量、天井裏のスラブからの熱ロス等、居室空間および天井等空間に対する熱負荷（天井放射パネル１を除く）である。
【００４３】
【数７】
2015124932.tif 000009
【００４４】
このように本実施形態の予測モデルでは、６つの条件式（１）〜（６）を使用しているため、上限数を６として未知のパラメータの予測を行うことが可能である。特に、本実施形態では、少なくとも天井裏と居室間の熱収支関係を条件として使用したことで、精度の高い予測処理を行うことを可能としている。このような精度の高い予測処理によって、居室内空気温度Ｔar、居室側パネル表面温度Ｔsr、天井裏空気温度Ｔac、送水入口温度Ｔw,in、送水流量Ｑw,in、送水出口温度Ｔw,out、敷設面積Ｓのパラメータのうち、１つまた
は２つのパラメータを予測する予測処理を実行することを特徴としている。
【００４５】
ここで、天井放射パネル１の敷設条件に応じて設定される各種パラメータについて説明する。図８には、天井放射パネル１の敷設条件に応じて設定される各種パラメータの代表例が示されている。図５の予測モデルで説明したように、天井放射パネル１の敷設条件は、主に、居室Ｓａ側と天井裏Ｓｂ側の空気の熱伝導状態に左右される。この熱伝導状態は、居室側熱伝導率ｈr、天井裏熱伝導率ｈc、天井裏空気と居室空気の熱伝導率ｈrc、天井放射パネル１の表面温度の関係γによって特徴付けられる。ここでは、天井裏Ｓｂの気密性が高い場合と低い場合、居室Ｓａと天井裏Ｓｂ間の給気がある場合と無い場合に敷設条件を大きく分別し、敷設条件毎に敷設条件に関するパラメータを見積もっている。
【００４６】
天井放射パネル１の敷設条件は上述する条件のみならず、気密性や給気状態をさらに多段階の程度に分類して、それぞれに数値を与えることや、居室Ｓａ側と天井裏Ｓｂ側の空気の熱伝導状態に関する状態に応じて分類しても良い。あるいは、天井放射パネル１を敷設する場所について、シミュレーションを行うことで算出することとしてもよい。
【００４７】
では、本発明の実施形態に係る天井放射パネル予測システムについて、パラメータの入出力関係を示す各種ケースについて説明を行う。図９には、天井放射パネル１の敷設時の検討事項に対する各種パラメータの入出力関係を示した表である。上述したように、本天
井放射パネル予測システムは、６つの条件式（１）〜（６）を有するため、図９に示されるパラメータ中、６つまでの未知のパラメータを求めることが可能である。なお、図９中、「ＩＮ」は、主な前提条件となる入力パラメータであり、「ＯＵＴ」は、予測にあたって求められる出力パラメータである。そして「−」は、予測途中の変数として出力されるパラメータである。では、図９に示す、ケース１からケース８について、その予測モデルの実施形態について説明する。
【００４８】
なお、図９に示した敷設条件中、天井気密性、給気方式などに関連する４つのパラメータｈr、ｈc、ｈrc、γは、何れのケースについても図８で説明したように、天井放射パネル１の敷設条件に応じて予めその数値が与えられる。
【００４９】
（ケース１）
この予測モデルは、要求スペック（必要熱負荷処理能力、快適性指標に基づく室内温熱環境）を前提条件として、天井放射パネル１への送水流量Ｑw,in（天井放射パネル１に水を供給するポンプの能力）、天井放射パネル１の敷設面積Ｓを出力（予測）することとしている。前提条件となるパラメータとしては、居室内空気温度Ｔar、送水入口温度Ｔw,in、天井裏側に対する照明負荷ｑl↑、スラブ等からの熱ロスｑslab、室内負荷Ｌを与えて
いる。このケース１では、使用する天井放射パネル１の選定後、各種前提条件を満たすために必要な送水流量Ｑw,in、敷設面積Ｓを予測することが可能である。
【００５０】
（ケース２）
この予測モデルは、天井放射パネル１の敷設条件から、天井放射パネル１の運用状態を予測するモデルである。敷設条件としては、居室内空気温度Ｔar、送水入口温度Ｔw,in、送水流量Ｑw,in、照明負荷ｑl↑、上階への熱ロス、敷設面積Ｓを使用している。また、
出力（予測対象）パラメータとなる天井放射パネル１の運用状態としては、居室側パネル表面温度Ｔsr、送水出口温度Ｔw,outを使用している。この予測モデルでは、天井放射パ
ネル１の表面温度と室温から求められる快適性指標の確認、並びに、天井放射パネル１に対して送水を行う熱源能力の確認を行うことが可能である。
【００５１】
（ケース３）
この予測モデルは、居室Ｓａ内の温熱環境を固定し、給気方式を変化させることで居室Ｓａ内負荷の変化を予測することを可能としている。そのため、特に、敷設条件中、入力する天井気密性、給気方式を変化させて室内負荷の変化を予測することとしている。
【００５２】
（ケース４）
この予測モデルは、居室Ｓａ内の温熱環境、処理能力の条件を固定し、給気方式を変化させることで、必要とさあれる天井放射パネル１の敷設面積の違いを予測することとしている。そのため、特に、敷設条件中、入力する天井気密性、給気方式を変化させて敷設面積Ｓの変化を予測することとしている。
【００５３】
（ケース５）
この予測モデルは、結露限界域での天井放射パネル１の能力を予測することが可能である。居室内温度、湿度から算出される露点温度が居室側パネル表面温度Ｔsrとして設定される。天井放射パネル１に送水するポンプの能力（送水流量Ｑw,in）を固定とし、天井放射パネル１の能力となる送水入口温度Ｔw,inを予測することとしている。
【００５４】
（ケース６）
この予測モデルは、各種パラメータを変更することで、居室側パネル表面温度Ｔsrを予測するモデルである。居室Ｓａ内に居る作業者は、居室内空気温度Ｔarのみならず、天井放射パネル１から受ける居室側パネル表面温度Ｔsrによって、心地よさ、悪さを甘受する
ことが分かっている。この予測モデルでは、他の予測モデルなどで決定した各種パラメータを入力として居室側パネル表面温度Ｔsrを予測することで、居室側パネル表面温度Ｔsr入力パラメータの妥当性を検討することが可能である。
【００５５】
（ケース７）
この予測モデルは、居室内空気温度Ｔar、居室側パネル表面温度Ｔsr、送水入口温度Ｔw,in、天井裏空気温度Ｔacから送水出口温度Ｔw,outを予測するモデルである。天井放射
パネル１の構成上、送水出口温度Ｔw,outの計測が困難な場合がある。このような場合、
この予測モデルを使用することで、送水出口温度Ｔw,outを予測し、天井放射パネル１の
運転状態を知ることが可能である。
【００５６】
（ケース８）
この予測モデルは、天井放射パネル１に対する同じ負荷条件にて、送水温度（送水入口温度Ｔw,in）を変化させたとき、送水流量Ｑw,inを予測することで、エネルギーの評価を行うモデルである。
【００５７】
以上、ケース１からケース８までの各種予測モデルについて説明したが、本実施形態に係る天井放射パネル能力評価装置（プログラム）によれば、上述した各種予測モデルを適宜使用することで、建物内に敷設される天井放射パネルについて、各種観点から天井放射パネル１の各種パラメータを評価することが可能となる。特に、本実施形態の天井放射パネル能力評価装置（プログラム）では、敷設条件として居室と天井間の熱収支関係を採用したことで、従来の評価方法と比較して、その予測精度の向上が図られている。
【００５８】
なお、本発明はこれらの実施形態のみに限られるものではなく、それぞれの実施形態の構成を適宜組み合わせて構成した実施形態も本発明の範疇となるものである。
【符号の説明】
【００５９】
１…天井放射パネル、１１…導水管、２…通気口、３…照明、５…作業者、４…事務機器
【図１】
2015124932.tif 000010
【図２】
2015124932.tif 000011
【図３】
2015124932.tif 000012
【図４】
2015124932.tif 000013
【図５】
2015124932.tif 000014
【図６】
2015124932.tif 000015
【図７】
2015124932.tif 000016
【図８】
2015124932.tif 000017
【図９】
2015124932.tif 000018